(57)【要約】【課題】小分袋や計量カップ等を使用しないでも、所定量の計量を望むユーザには、所定量の内容物を簡単に計量して、取り出すことができる、開閉自在部付き包装袋を提供する。【解決手段】チャック１１と、包装袋底部１ｃとの間の包装袋表面部材１ａおよび包装袋裏面部材１ｂそれぞれの内側面１ａ１，１ｂ１に、包装袋表面部材１ａおよび包装袋裏面部材１ｂとを接着したり、離間させる着脱自在部である面状ファスナ１５を設け、閉めた状態の面状ファスナ１５とチャック１１との間により、１回分等の所定量の内容物を計量するようにした。これにより、小分袋や計量カップ等を使用しないでも、所定量の計量を望むユーザには、所定量の内容物を簡単に計量して、取り出すことができる。【選択図】    図１
2011157122.tif 000002
【特許請求の範囲】
【請求項１】
包装袋上部に開閉自在部が設けられ、内容物を取り出したり、密閉することが繰り返し可能な開閉自在部付き包装袋であって、
前記開閉自在部と包装袋底部との間の包装袋表面部材および包装袋裏面部材それぞれの対向する箇所に、前記包装袋表面部材と前記包装袋裏面部材とを接着したり、離間させる着離自在部を設け、
閉めた状態の前記開閉自在部と、離間状態の前記着離自在部との間に前記内容物を移した後、前記着離自在部を接着させ、閉めた状態の前記開閉自在部と、接着状態の前記着離自在部との間により、前記内容物を所定量計量する、
ことを特徴とする開閉自在部付き包装袋。
【請求項２】
請求項１記載の開閉自在部付き包装袋において、
前記着離自在部は、包装袋表面部材および包装袋裏面部材それぞれの対向する箇所に設けられた面状ファスナである、ことを特徴とする開閉自在部付き包装袋。
【請求項３】
請求項１記載の開閉自在部付き包装袋において、
前記着離自在部は、包装袋表面部材および包装袋裏面部材それぞれの対向する箇所に設けられた凹部と凸部が嵌り合うチャックである、ことを特徴とする開閉自在部付き包装袋。
【請求項４】
請求項１〜請求項３いずれか一の請求項に記載の開閉自在部付き包装袋において、
前記着離自在部は、前記包装袋上部のチャックと、前記包装袋底部との間に２か所以上設けられ、２以上の所定量を計量する、ことを特徴とする開閉自在部付き包装袋。
【発明の詳細な説明】
【技術分野】
【０００１】
本発明は、包装袋上部にチャック（ジッパー）やスライダ等の開閉自在部が設けられ、内容物を取り出したり、密閉することが繰り返し可能な開閉自在部付き包装袋に関する。
【背景技術】
【０００２】
従来の開閉自在部付き包装袋として、例えば、包装袋上部にチャック（ジッパー）等が設けられており、チャックより上部にノッチ（切り込み）と、切り取り線を設け、チャックより上方の包装袋上端部を切り離すことにより、密封状態の包装袋を開封可能にするものがある（例えば、特許文献１、２参照。）。
【先行技術文献】
【特許文献】
【０００３】
【特許文献１】特開２００７−１７６５０２号公報
【特許文献２】特開２００６−３４１８８０号公報
【発明の概要】
【発明が解決しようとする課題】
【０００４】
しかし、背景技術の開閉自在部付き包装袋では、包装袋自体では、その内容物を計量して取り出すことまで考慮されてなく、計量する場合には、計量カップ等や量り等を用いていた。
【０００５】
また、内容物を所定量計量して使用することを希望するユーザのために、予め内容物を小分した小分け袋に収納しているものもあるが、これでは、余分な包装が必要になると共に、小分けを希望しないユーザの場合には、不便であった。
【０００６】
特に、昨今、ペットの餌の場合、餌の与えすぎが問題になっており、１回分の餌等の所定量を簡単に取りだすことができる包装袋が望まれている。
【０００７】
そこで、本発明は、小分袋や計量カップ等を使用しないでも、所定量の計量を望むユーザには、所定量の内容物を簡単に計量して、取り出すことができる、開閉自在部付き包装袋を提供することを目的とする。
【課題を解決するための手段】
【０００８】
前記課題を解決するため、本発明の開閉自在部付き包装袋は、包装袋上部にチャック（ジッパー）やスライダ等の開閉自在部が設けられ、内容物を取り出したり、密閉することが繰り返し可能な開閉自在部付き包装袋であって、前記開閉自在部と包装袋底部との間の包装袋表面部材および包装袋裏面部材それぞれの対向する箇所に、前記包装袋表面部材と前記包装袋裏面部材とを接着したり、離間させる着離自在部を設け、閉めた状態の前記開閉自在部と、離間状態の前記着離自在部との間に前記内容物を移した後、前記着離自在部を接着させ、閉めた状態の前記開閉自在部と、接着状態の前記着離自在部との間により、前記内容物を所定量計量する、ことを特徴とする開閉自在部付き包装袋である。
ここで、前記開閉自在部付き包装袋において、前記着離自在部は、包装袋表面部材および包装袋裏面部材それぞれの対向する箇所に設けられた面状ファスナである、ことを特徴とする開閉自在部付き包装袋でも良い。
また、前記開閉自在部付き包装袋において、前記着離自在部は、包装袋表面部材および包装袋裏面部材それぞれの対向する箇所に設けられた凹部と凸部が嵌り合うチャックである、ことを特徴とする開閉自在部付き包装袋でも良い。
また、前記開閉自在部付き包装袋において、前記着離自在部は、前記包装袋上部のチャックと、前記包装袋底部との間に２か所以上設けられ、２以上の所定量を計量する、ことを特徴とする開閉自在部付き包装袋でも良い。
【発明の効果】
【０００９】
本発明によれば、チャックと包装袋底部との間の包装袋表面部材および包装袋裏面部材それぞれの対向する箇所に、前記包装袋表面部材と前記包装袋裏面部材とを接着したり、離間させる着離自在部を設け、閉めた状態の前記開閉自在部と、離間状態の前記着離自在部との間に前記内容物を移した後、前記着離自在部を接着させ、閉めた状態の前記開閉自在部と、接着状態の前記着離自在部との間により、前記内容物を所定量計量するようにしたので、小分袋や計量カップ等を使用しないでも、所定量の計量を望むユーザには、所定量の内容物を簡単に計量して、取り出すことができる。
【図面の簡単な説明】
【００１０】
【図１】本発明の実施形態１の開閉自在部付き包装袋１の構成例を部分断面図である。
【図２】図１に示す実施形態１の開閉自在部付き包装袋１のＡ部分を拡大して示す拡大図で、（ａ）は、包装袋１内に内容物が収納されていない場合、（ｂ）は、包装袋１内に内容物が収納された場合のＡ−Ａ部分を拡大して示す拡大図である。
【図３】（ａ）〜（ｅ）、それぞれ、実施形態１の包装袋１による内容物Ｃの計量の方法を示す説明図である。
【図４】（ａ），（ｂ）、それぞれ、図１に示す実施形態１の開閉自在部付き包装袋１に目盛りを追加した構成例を示す図である。
【図５】本発明の実施形態２の開閉自在部付き包装袋２の構成例を示す図である。
【図６】本発明の実施形態３の開閉自在部付き包装袋３の構成例を示す図である。
【図７】本発明の実施形態４の開閉自在部付き包装袋４の構成例を示す図である。
【図８】本発明の実施形態５の開閉自在部付き包装袋５の構成例を示す図である。
【図９】（ａ）〜（ｃ）、それぞれ、本発明の実施形態５の開閉自在部付き包装袋５の他の構成例を示す図である。
【図１０】本発明の実施形態６の開閉自在部付き包装袋６の構成例を示す図である。
【図１１】本発明の実施形態７の開閉自在部付き包装袋７の構成例を示す図である。
【発明を実施するための形態】
【００１１】
実施形態１．
次に、本発明の開閉自在部付き包装袋の実施形態１について説明する。
【００１２】
図１は、本発明の実施形態１の開閉自在部付き包装袋１の構成例を示す部分断面図である。
【００１３】
図１において、実施形態１の開閉自在部付き包装袋１は、例えば、３層の多層プラスチックフィルムからなる包装袋表面部材１ａまたは包装袋裏面部材１ｂの両端と底部を熱等によりシールすることにより構成されている。そのため、３層の多層プラスチックフィルムの最下層は、熱等により溶融するヒートシール性プラスチック層を有している。
【００１４】
そして、開閉自在部付き包装袋１上部には、包装袋表面部材１ａ内側または包装袋裏面部材１ｂ内側に設けられたオス側とメス側とが嵌まり合うチャック１１ａ，１１ｂ（なお、オスおよびメスのチャック１１ａ，１１ｂをまとめて、チャック１１と略す場合もある。）が設けられている。また、チャック１１の上方には、開閉自在部付き包装袋１両端には、切り取り箇所を示すＵ字形状等のノッチ１２が形成されていると共に、そのノッチ１２に繋がる切り取り線１３が形成されている。なお、ノッチ１２の形状は、Ｕ字状に限らず、三角形状でも、他の形状でも、さらには、省略されていても良い。なお、チャック１１は、別名、ジッパーである。
【００１５】
なお、図上、１ｃがシール部である。図１に示す開閉自在部付き包装袋１は、内容物が収容されていない状態を示しており、内容物収容後に切り取り線１３より上方の包装袋１上端がシールされ、密封（密閉）される。
【００１６】
これにより、この実施形態１では、開閉自在部付き包装袋１両端の左右いずれかのノッチ１２から切り取り線１３に沿って包装袋１１上端部を切り離すことにより、密封状態の包装袋１を開封可能に構成している。なお、本発明では、ノッチ１２も、切り取り線１３も、必須なものではなく、省略しても良い。
【００１７】
そして、この実施形態１の開閉自在部付き包装袋１には、チャック１１より下方、すなわちチャック１１と包装袋底部１ｄとの間の包装袋表面部材１ａおよび包装袋裏面部材１ｂそれぞれの内側面の対向する箇所に、包装袋表面部材１ａおよび包装袋裏面部材１ｂとを接着したり、離間させる着離自在部である面状ファスナ１５ａ，１５ｂ（なお、面状ファスナ１５ａ，１５ｂをまとめて、面状ファスナ１５と略す場合もある。）を設けている。
【００１８】
図２（ａ）は、図１に示す実施形態１の開閉自在部付き包装袋１内に内容物が収納されていない場合のＡ−Ａ部分を拡大して示す拡大図である。
【００１９】
図２（ａ）に示すように、包装袋表面部材１ａの内側面１ａ１には、面状ファスナ１５ａと、オス側のチャック１１ａとが設けられている一方、包装袋表面部材１ｂの内側面１ｂ１には、面状ファスナ１５ｂと、メス側のチャック１１ｂとが設けられている。なお、包装袋表面部材１ａの内側面１ａ１側に、面状ファスナ１５ｂと、チャック１１ｂとが設けられ、包装袋表面部材１ｂの内側面１ｂ１側に、面状ファスナ１５ａと、チャック１１ａとが設けられていても勿論よい。なお、図２（ａ）では、チャック１１および面状ファスナ１５は、閉められていない状態を示している。
【００２０】
図２（ｂ）は、包装袋１内に内容物が収納され、閉めた状態の面状ファスナ１５とチャック１１との間により、所定量の内容物Ｃを計量している状態のＡ−Ａ部分を拡大して示す拡大図である。
【００２１】
つまり、閉めた状態の面状ファスナ１５とチャック１１との間により形成される計量室１１０により、所定量の内容物Ｃを計量している。
【００２２】
ここで、所定量とは、内容物Ｃが例えば、ペットの餌等の場合、１回分の食事量等に相当する。
【００２３】
図３（ａ）〜（ｅ）は、実施形態１の包装袋１による内容物Ｃの計量の方法を示している。なお、図３（ａ）〜（ｅ）では、内容物Ｃの計量の方法が具体的にわかるように、包装袋１を透明な状態で示しているが、実際には透明でない。
【００２４】
つまり、図３（ａ）に示すように、包装袋１内に内容物が収納された状態から、図３（ｂ）に示すように、包装袋１を例えば逆さま等にして、チャック１１と面状ファスナ１５との間の計量室１１０に餌等の内容物Ｃを送る。ここで、図３（ａ），（ｂ）に示す状態では、チャック１１は閉まっている一方、面状ファスナ１５は閉められていない。
【００２５】
次に、図３（ｃ）に示すように、面状ファスナ１５を閉める。すると、図３（ｄ）に示すように、閉められたチャック１１と、面状ファスナ１５との間の所定量の計量室１１０により、所定量の内容物Ｃだけ分別することができる。
【００２６】
そして、図３（ｅ）に示すように、チャック１１のみを開けることにより、所定量の計量室１１０から所定量の内容物Ｃを取り出すことができる。
【００２７】
従って、本実施形態１の開閉自在部付き包装袋１によれば、チャック１１と包装袋底部１ｃとの間の包装袋表面部材１ａおよび包装袋裏面部材１ｂそれぞれの対向する内側面１ａ１，１ｂ１に、包装袋表面部材１ａおよび包装袋裏面部材１ｂとを接着したり、離間させる着脱自在部である面状ファスナ１５を設け、閉めた状態の面状ファスナ１５とチャック１１との間により、所定量の内容物を計量するようにしたので、小分袋や計量カップ等を使用しないでも、所定量の計量を望むユーザには、所定量の内容物を簡単に計量して、取り出すことができる。
【００２８】
なお、図４（ａ）に示すように、面状ファスナ１５と、チャック１１との間の計量室１１０を構成する部分の包装袋表面部材１ａおよび包装袋裏面部材１ｂを透明にすると共に、その部分の包装袋表面部材１ａまたは包装袋裏面部材１ｂのいずれかに、図上水平方向に、例えば、３つの目盛り１６ａ〜１６ｃを設けて、計量室１１０の所定量より少ない量を細かく計量できるようにしても良いし、さらには、図４（ｂ）に示すように、面状ファスナ１５部分の包装袋表面部材１ａおよび包装袋裏面部材１ｂ上に、図上垂直方向に、例えば、３つの目盛り１７ａ〜１７ｃを設けて、いずれかの目盛り１７ａ〜１７ｃ部分まで面状ファスナ１５を閉めることにより、計量室１１０の所定量より少ない量を細かく計量できるようにしても良い。
【００２９】
実施形態２．
上記実施形態１では、包装袋表面部材１ａおよび包装袋裏面部材１ｂとを接着したり、離間させる着脱自在部である面状ファスナ１５を設けたが、実施形態２では、このような着離自在部である面状ファスナを、複数設けたものである。
【００３０】
図５は、実施形態２の開閉自在部付き包装袋２の構成例を示す図である。
【００３１】
図５に示す実施形態２の開閉自在部付き包装袋２では、包装袋表面部材１ａおよび包装袋裏面部材１ｂの対向する箇所に、第１の面状ファスナ１５と、第２の面状ファスナ２５とを設けている。
【００３２】
これにより、第１の面状ファスナ１５により、例えば、１回分の食事量を計量できると共に、第２の面状ファスナ２５により、例えば、２回分または２匹分の食事量というように、異なる量を計量することができる。
【００３３】
また、第２の面状ファスナ２５の設ける位置を、第１の面状ファスナ１５とチェック１１との間に設けることにより、第１の面状ファスナ１５の位置が、例えば、１回分の食事量とすると、第２の面状ファスナ２５の位置により、例えば、ダイエット用の１回分の食事量とか、あるいはペットが幼少時の１回分の食事量を計量可能になる。
【００３４】
なお、本実施形態２では、面状ファスナを２箇所設けて説明したが、３箇所以上の面状ファスナを設けて、３以上の所定量を計量できるようにしても勿論よい。
【００３５】
従って、本実施形態２の開閉自在部付き包装袋２によれば、上記実施形態１の開閉自在部付き包装袋１と同様に、小分袋や計量カップ等を使用しないでも、所定量の計量を望むユーザには、所定量の内容物を簡単に計量して、取り出すことができる。
【００３６】
また、本実施形態２の開閉自在部付き包装袋２では、面状ファスナを２箇所以上設けたので、２以上の所定量を計量できる。
【００３７】
実施形態３．
上記実施形態１，２の開閉自在部付き包装袋１，２では、面状ファスナ１５，２５を、図上水平方向、すなわち開閉自在部付き包装袋１，２の両側端部を結ぶように設けて説明したが、図６に示す実施形態３の開閉自在部付き包装袋３のように、図上垂直方向、すなわち、チャック１１と、開閉自在部付き包装袋３の底部３ｄとの間の包装袋表面部材１ａおよび包装袋裏面部材１ｂとの対向する箇所に、面状ファスナ３５を設けるようにしても勿論よい。なお、実施形態２のように、面状ファスナ３５を、２箇所以上設けるようにしても勿論よい。
【００３８】
なお、実施形態３の場合、面状ファスナ３５と、開閉自在部付き包装袋３の左端部あるいは右端部との間で、計量することになる。
【００３９】
従って、本実施形態３の開閉自在部付き包装袋３によれば、上記実施形態１，２の開閉自在部付き包装袋１等と同様に、小分袋や計量カップ等を使用しないでも、所定量の計量を望むユーザには、所定量の内容物を簡単に計量して、取り出すことができる。
【００４０】
実施形態４．
また、図７に示す実施形態４の開閉自在部付き包装袋４のように、面状ファスナ４５を、図上斜め方向、すなわち、チャック１１と、開閉自在部付き包装袋３の左端部あるいは右端部とを結ぶように設けるようにしても勿論よい。なお、実施形態２等と同様に、面状ファスナ４５を、２箇所以上設けるようにしても勿論よい。
【００４１】
なお、実施形態４の場合、面状ファスナ４５と、チャック１１と、開閉自在部付き包装袋３の左端部あるいは右端部との間で、計量することになる。
【００４２】
従って、本実施形態４の開閉自在部付き包装袋４によれば、上記実施形態１〜３の開閉自在部付き包装袋１〜３と同様に、小分袋や計量カップ等を使用しないでも、所定量の計量を望むユーザには、所定量の内容物を簡単に計量して、取り出すことができる。
【００４３】
実施形態５．
上記実施形態１〜４の開閉自在部付き包装袋１〜４では、面状ファスナを、一方向に１または複数設けて説明したが、図８に示す実施形態５の開閉自在部付き包装袋５のように、図上水平方向の面状ファスナ１５と、図上垂直方向の面状ファスナ５５との２方向の面状ファスナを設けるようにしても勿論よい。なお、実施形態２等と同様に、図上水平方向の面状ファスナ１５を複数設けたり、図上垂直方向の面状ファスナ５５を複数設けるようにしても勿論よい。
【００４４】
この場合、チャック１１と、面状ファスナ１５，５５と、開閉自在部付き包装袋３の左端部あるいは右端部との間で、計量することになる。
【００４５】
なお、図９（ａ），（ｂ）に示すように、図上水平方向の面状ファスナ１５を複数設けたり、図９（ｃ）に示すように、図上垂直方向の面状ファスナ５５を複数設けるようにしても勿論よい。
【００４６】
従って、本実施形態５の開閉自在部付き包装袋５によれば、上記実施形態１〜４の開閉自在部付き包装袋１〜４と同様に、小分袋や計量カップ等を使用しないでも、所定量の計量を望むユーザには、所定量の内容物を簡単に計量して、取り出すことができる。
【００４７】
実施形態６．
上記実施形態１〜５の開閉自在部付き包装袋１〜５では、包装袋表面部材と包装袋裏面部材とを接着したり、離間させる着離自在部として、面状ファスナを設けて説明したが、面状ファスナの代わりに、図１０に示す実施形態６の開閉自在部付き包装袋６のように、チャック１１と同様のチャック６５を、上記実施形態１〜５の開閉自在部付き包装袋１〜５と同様に設けるようにしても、上記実施形態１〜５の開閉自在部付き包装袋１〜５と同様に、小分袋や計量カップ等を使用しないでも、所定量の内容物を簡単に計量して、取り出すことができる。
【００４８】
実施形態７．
また、図１１に示す実施形態７の開閉自在部付き包装袋７のように、面状ファスナやチャックの代わりに、着離自在部として、弾力性のある一対のプラスチック片７５を、上記実施形態１〜６の開閉自在部付き包装袋１〜６と同様に設けるようにしても勿論よい。
【００４９】
弾力性のある一対のプラスチック片７５は、その両端から中心に向かい外力を加えれば、一対のプラスチック片の間が広がる一方、その外力を加えなければ、弾力性のある一対のプラスチック片７５は、直線状に戻り、一対のプラスチック片７５の間が密着して、簡単に内容物を計量で切ることになる。
【００５０】
従って、本実施形態７の開閉自在部付き包装袋７によっても、上記実施形態１〜６の開閉自在部付き包装袋１〜６と同様に、小分袋や計量カップ等を使用しないでも、所定量の計量を望むユーザには、所定量の内容物を簡単に計量して、取り出すことができる。
【００５１】
なお、上記実施形態１〜７の説明では、チャック（ジッパー）１２の上方に、ノッチ１２や、切り取り線１３を設けて説明したが、本発明では、ノッチ１２も、切り取り線１３も、必須なものではなく、省略しても良い。ノッチ１２も切り取り線１３も省略した場合、包装袋上部の開閉自在部として、チャック（ジッパー）１２の代わりに、公知のスライダ等を設けるようにしても勿論よい。
【産業上の利用可能性】
【００５２】
本発明の開閉自在部付き包装袋は、開閉自在部と包装袋底部との間の包装袋表面部材および包装袋裏面部材それぞれの対向する箇所に、包装袋表面部材と包装袋裏面部材とを接着したり、離間させる着離自在部を設け、閉めた状態の開閉自在部と、離間状態の着離自在部との間に内容物を移した後、着離自在部を接着させて、閉めた状態の開閉自在部と、接着状態の着離自在部との間により、内容物を所定量計量するようにしたので、小分袋や計量カップ等を使用しないでも、所定量の計量を望むユーザには、所定量の内容物を簡単に計量して、取り出すことができ、例えば、包装袋を開け閉めを繰り返して、ペットの餌等の内容物を所定量ずつ取り出す、ペットの餌等の包装袋に産業上の利用可能性がある。
【符号の説明】
【００５３】
１〜７  開閉自在部付き包装袋
１ａ  包装袋表面部材
１ｂ  包装袋裏面部材
１ｃ  シール部
１１  チャック（開閉自在部）
１２  ノッチ
１３  切り取り線
１５〜５５  面状ファスナ（着離自在部）
６５  チャック（着離自在部）
７５  プラスチック片（着離自在部）
【図１】
2011157122.tif 000003
【図２】
2011157122.tif 000004
【図３】
2011157122.tif 000005
【図４】
2011157122.tif 000006
【図５】
2011157122.tif 000007
【図６】
2011157122.tif 000008
【図７】
2011157122.tif 000009
【図８】
2011157122.tif 000010
【図９】
2011157122.tif 000011
【図１０】
2011157122.tif 000012
【図１１】
2011157122.tif 000013